(57)【要約】【課題】より安全に媒体を処理することができる発行機、処理機、媒体及び処理システムを提供する。【解決手段】  実施形態によれば、外部装置と通信する媒体を発行する発行機は、供給部と、通信部と、取得部と、格納処理部と、印刷部と、を備える。供給部は、前記媒体を供給する。通信部は、前記媒体と通信する。取得部は、前記媒体にアクセスするためのアクセスパスワードを取得する。格納処理部は、前記通信部を通じて、前記取得部が取得した前記アクセスパスワードを前記媒体に格納する。印刷部は、前記取得部が取得したアクセスパスワードを示すコードを前記媒体に印刷する。【選択図】図２
2016170510.tif 000002
【特許請求の範囲】
【請求項１】
外部装置と通信する媒体を発行する発行機であって、
前記媒体を供給する供給部と、
前記媒体と通信する通信部と、
前記媒体にアクセスするためのアクセスパスワードを取得する取得部と、
前記通信部を通じて、前記取得部が取得した前記アクセスパスワードを前記媒体に格納する格納処理部と、
前記取得部が取得したアクセスパスワードを示すコードを前記媒体に印刷する印刷部と、
を備える発行機。
【請求項２】
乗車券情報を設定する設定部を備え、
前記コードは、さらに、前記設定部が設定する前記乗車券情報を示す、
前記請求項１に記載の発行機。
【請求項３】
前記取得部は、前記媒体ごとに前記アクセスパスワードを生成する、
前記請求項１又は２に記載の発行機。
【請求項４】
前記アクセスパスワードを格納する記憶部を備え、
前記取得部は、前記記憶部から前記アクセスパスワードを取得する、
前記請求項１又は２に記載の発行機。
【請求項５】
前記コードは、二次元コードである、
前記請求項１乃至４の何れか１項に記載の発行機。
【請求項６】
外部装置と通信する媒体を処理する処理機であって、
前記媒体に表示されるコードを読み取る読取部と、
前記媒体と通信する通信部と、
前記通信部を通じて、前記読取部が読み取ったコードが示すアクセスパスワードを用いて前記媒体に対してアクセス可能であるかの認証処理を行う認証処理部と、
前記認証処理部が認証処理に成功した場合、前記通信部を通じて前記媒体に所定の情報を格納する格納処理部と、
を備える処理機。
【請求項７】
前記認証処理部が認証処理に成功した場合、前記通信部を通じて前記媒体から前記所定の情報を読み出す読出部を備える、
前記請求項６に記載の処理機。
【請求項８】
前記コードは、さらに、乗車券情報を示し、
前記乗車券情報に基づいて前記媒体の所持者が通行可能であるか判定する判定部と、
前記判定部の判定結果に基づいて前記所持者の通行を制御するドア機構と、
を備える、
前記請求項６又は７に記載の処理機。
【請求項９】
前記所定の情報は、入出場情報である、
前記請求項６乃至８の何れか１項に記載の処理機。
【請求項１０】
前記コードは、二次元コードである、
前記請求項６乃至９の何れか１項に記載の処理機。
【請求項１１】
外部装置と通信する媒体であって、
アクセスパスワードを示すコードを表示する表示領域と、
前記外部装置と通信する通信部と、
前記アクセスパスワードを記憶する第１記憶部と、
所定の情報を記憶する第２記憶部と、
前記通信部を通じて前記外部装置から受信されるアクセスパスワードと前記第１記憶部が格納する前記アクセスパスワードとが一致するか判定する判定部と、
前記判定部が前記外部装置から受信される前記アクセスパスワードと前記第１記憶部が格納する前記アクセスパスワードとが一致すると判定すると、前記外部装置が前記第２記憶部にアクセスすることを許可する認証処理部と、
を備える媒体。
【請求項１２】
前記通信部を通じて外部装置から受信されるアクセスパスワードを前記第１記憶部に格納する格納処理部を備える、
前記請求項１１に記載の媒体。
【請求項１３】
前記コードは、さらに、乗車券情報を示す、
前記請求項１１又は１２に記載の媒体。
【請求項１４】
前記所定の情報は、入出場情報である、
前記請求項１１乃至１３の何れか１項に記載の媒体。
【請求項１５】
前記コードは、二次元コードである、
前記請求項１１乃至１４の何れか１項に記載の媒体。
【請求項１６】
外部装置とデータを送受信する媒体と、前記媒体を発行する発行機と、前記媒体を処理する処理機とを備える処理システムであって、
前記媒体は、
アクセスパスワードを示すコードを表示する表示領域と、
前記発行機及び前記処理機と通信する第１通信部と、
前記アクセスパスワードを記憶する第１記憶部と、
所定の情報を記憶する第２記憶部と、
前記第１通信部を通じて前記発行機から受信されるアクセスパスワードを前記第１記憶部に格納する第１格納処理部と、
前記第１通信部を通じて前記処理機から受信されるアクセスパスワードと前記第１記憶部が格納する前記アクセスパスワードとが一致するか判定する判定部と、
前記判定部が前記処理機から受信される前記アクセスパスワードと前記第１記憶部が格納する前記アクセスパスワードとが一致すると判定すると、前記処理機が前記第２記憶部にアクセスすることを許可する第１認証処理部と、
を備え、
前記発行機は、
前記媒体を供給する供給部と、
前記媒体と通信する第２通信部と、
前記アクセスパスワードを取得する取得部と、
前記第２通信部を通じて、前記取得部が取得した前記アクセスパスワードを前記媒体の前記第１記憶部に格納する第２格納処理部と、
前記取得部が取得したアクセスパスワードを示すコードを前記媒体の前記表示領域に印刷する印刷部と、
を備え、
前記処理機は、
前記媒体の前記表示領域に表示される前記コードを読み取る読取部と、
前記媒体と通信する第３通信部と、
前記第３通信部を通じて、前記読取部が読み取ったコードが示すアクセスパスワードを用いて前記媒体に対してアクセス可能であるかの認証処理を行う第２認証処理部と、
前記第２認証処理部が認証処理に成功した場合、前記第３通信部を通じて前記媒体の前記第２記憶部に所定の情報を格納する第３格納処理部と、
を備える、
処理システム。
【発明の詳細な説明】
【技術分野】
【０００１】
本発明の実施形態は、発行機、処理機、媒体及び処理システムに関する。
【背景技術】
【０００２】
駅などに設置される発行機には、二次元コードとＲＦ−ＩＤ（radio frequency identifier）インレットと備える券媒体を発行するものがある。改札処理機などの処理機は、ＲＦ−ＩＤインレットなどに入出場情報などを書き込む。従来、ＲＦ−ＩＤインレットへのアクセスと、二次元コードの情報とが互いに独立しているという課題がある。
【先行技術文献】
【特許文献】
【０００３】
【特許文献１】特開２００３−２８１４９５号公報
【発明の概要】
【発明が解決しようとする課題】
【０００４】
上記の課題を解決するために、より安全に媒体を処理することができる発行機、処理機、媒体及び処理システムを提供する。
【課題を解決するための手段】
【０００５】
実施形態によれば、外部装置と通信する媒体を発行する発行機は、供給部と、通信部と、取得部と、格納処理部と、印刷部と、を備える。供給部は、前記媒体を供給する。通信部は、前記媒体と通信する。取得部は、前記媒体にアクセスするためのアクセスパスワードを取得する。格納処理部は、前記通信部を通じて、前記取得部が取得した前記アクセスパスワードを前記媒体に格納する。印刷部は、前記取得部が取得したアクセスパスワードを示すコードを前記媒体に印刷する。
【図面の簡単な説明】
【０００６】
【図１】図１は、実施形態に係る処理システムの構成例を示すブロック図である。
【図２】図２は、実施形態に係る発行機の構成例を示すブロック図である。
【図３】図３は、実施形態に係る発行部の構成例を示す図である。
【図４】図４は、実施形態に係る処理機の構成例を示す図である。
【図５】図５は、実施形態に係る処理機のコードリーダとＲＦ−ＩＤリーダライタとの構造例を示す図です。
【図６】図６は、実施形態に係る券媒体の構成例を示す図である。
【図７】図７は、実施形態に係るＲＦ−ＩＤインレットの構成例を示すブロック図である。
【図８】図８は、実施形態に係る発行機の動作例を説明するためのフローチャートである。
【図９】図９は、実施形態に係る処理機の動作例を説明するためのフローチャートである。
【発明を実施するための形態】
【０００７】
以下、図面を参照しながら実施形態について説明する。
【０００８】
実施形態に係る処理システムは、二次元コードの表示領域及びＲＦ−ＩＤインレットを備える券媒体を処理する。たとえば、処理システムは、利用者に対して種々の券媒体を発行し、発行された券媒体に種々の情報を書き込む。
【０００９】
たとえば、処理システムは、駅などに設置され、乗車券情報を示す券媒体を処理する。また、処理システムは、券媒体としてテーマパーク又は映画館などのチケットを処理するものであってもよい。また、処理システムは、券媒体として飲食店などで食券を処理してもよい。券売機が用いられる用途及び券媒体の内容は、特定の構成に限定されるものではない。
【００１０】
ここでは、処理システムは、駅などに設置され、乗車券情報などを示す券媒体を処理するものとする。  
図１は、実施形態に係る処理システム１００の構成例を示すブロック図である。  
図１が示すように、処理システム１００は、発行機１、券媒体２及び処理機３などを備える。
【００１１】
発行機１は、乗車券情報などを備える券媒体２を発行する。ここでは、発行機１は、自動券売機として用いられる。発行機１は、利用客又は係員などの操作に基づいて、乗車券又は特急券などとして券媒体２を発行する。なお、発行機１は、精算機として用いられてもよい。この場合、発行機１は、利用客又は係員などの操作に基づいて、精算券などとして券媒体２を発行する。
【００１２】
券媒体２（媒体）は、発行機１が発行する券媒体である。券媒体２は、乗車券情報などを示す二次元コードが印刷される。また、券媒体２は、ＲＦ−ＩＤインレットを内部に備える。券媒体２については後に詳述する。
【００１３】
処理機３は、券媒体２から二次元コードを読み取り、券媒体２に埋め込まれたＲＦ−ＩＤインレットにアクセスする。ここでは、処理機３は、自動改札機として用いられる。処理機３は、券媒体２から乗車券情報を読み取り改札処理を行う。また、処理機３は、券媒体２に埋め込まれているＲＦ−ＩＤインレットに入出場情報などを書き込む。なお、処理機３は、係員処理機として用いられてもよい。この場合、処理機３は、たとえば、過ってＲＦ−ＩＤインレットに書き込まれた入出場情報を削除したり、修正したりするものであってもよい。
【００１４】
次に、発行機１の構成例について説明する。  
図２は、実施形態に係る発行機１の構成例を示すブロック図である。  
図２が示すように、発行機１は、ＣＰＵ１１、ＲＯＭ１２、ＲＡＭ１３、ＮＶＭ１４、通信部１５、表示部１６、操作部１７、磁気券処理部１８、カードリーダライタ１９、金額処理部２０、発行部２１及び排出部２２などを備える。発行機１は、データバスなどを介してＣＰＵ１１と、ＲＯＭ１２、ＲＡＭ１３、ＮＶＭ１４、通信部１５、表示部１６、操作部１７、磁気券処理部１８、カードリーダライタ１９、金額処理部２０、発行部２１及び排出部２２とを通信可能に接続する。
【００１５】
ＣＰＵ１１は、発行機１全体の動作（発券処理含む）を制御する機能を有する。ＣＰＵ１１は、内部キャッシュおよび各種のインターフェースなどを備えても良い。ＣＰＵ１１は、内部メモリ、ＲＯＭ１２あるいはＮＶＭ１４に予め記憶したプログラムを実行することにより種々の処理を実現する。
【００１６】
なお、ＣＰＵ１１がプログラムを実行することにより実現する各種の機能のうちの一部は、ハードウエア回路により実現されるものであっても良い。この場合、ＣＰＵ１１は、ハードウエア回路により実行される機能を制御する。
【００１７】
ＲＯＭ１２は、予め制御用のプログラム及び制御データなどが記憶された不揮発性のメモリである。ＲＯＭ１２に記憶される制御プログラム及び制御データは、予め発行機１の仕様に応じて組み込まれる。ＲＯＭ１２は、たとえば、発行機１の回路基板を制御するプログラム（例えば、ＢＩＯＳ）などを格納している。
【００１８】
ＲＡＭ１３は、揮発性のメモリである。ＲＡＭ１３は、ＣＰＵ１１の処理中のデータなどを一時的に格納する。ＲＡＭ１３は、ＣＰＵ１１からの命令に基づき種々のアプリケーションプログラムを格納している。また、ＲＡＭ１３は、アプリケーションプログラムの実行に必要なデータ及びアプリケーションプログラムの実行結果などを格納してもよい。
【００１９】
ＮＶＭ１４は、データの書き込み及び書き換えが可能な不揮発性のメモリである。ＮＶＭ１４は、例えばＥＥＰＲＯＭ（Electric Erasable Programmable Read-Only Memory）、ＨＤＤ（Hard Disc Drive）、あるいはＳＳＤ（Solid State Drive）などである。ＮＶＭ１４は、発行機１の運用用途に応じて制御プログラム、アプリケーション、及び種々のデータを格納する。また、ＮＶＭ１４は、ＣＰＵ１１が種々の処理を実行することで生成したデータを保存する。
【００２０】
通信部１５は、上位装置としてのホストコンピュータなどとの通信を行うインターフェースである。
【００２１】
表示部１６は、ＣＰＵ１１からの信号に基づいて種々の情報を表示するものである。たとえば、表示部１６は、乗車券情報を選択するアイコンなどを表示してもよい。表示部１６は、たとえば、液晶ディスプレイなどである。
【００２２】
操作部１７は、発行機１の操作者によって、種々の指示が入力される。たとえば、操作部１７は、発行部２１に券媒体２を発行させる発行操作の入力を受け付ける。操作部１７は、操作者に入力された指示のデータをＣＰＵ１１へ送信する。操作部１７は、たとえば、キーボード、テンキー、及び、タッチパネルなどである。
【００２３】
なお、表示部１６と操作部１７とは、一体的に形成されてもよい。即ち、表示部１６は、指示を入力するためのアイコンを表示し、操作部１７は、アイコンへのタッチを検出することで指示の入力を受け付けてもよい。
【００２４】
磁気券処理部１８は、磁気定期券に記録されている磁気情報を読み取り、又は、磁気定期券に磁気情報を書き込む。
【００２５】
カードリーダライタ１９は、ＩＣカードに記録されている情報を読み取り、又は、ＩＣカードに情報を書き込む。
【００２６】
金額処理部２０は、駅の係員が投入した現金あるいは金額カード（プリペイドカードやクレジットカード）を処理するものである。たとえば、金額処理部２０は、駅の係員が投入した現金を集計し、駅の係員が投入した現金の金額を決定する。また、金額処理部２０は、釣銭を放出する機能を有する。たとえば、金額処理部２０は、ＣＰＵ１１からの命令に基づいて、釣銭を放出する。
【００２７】
発行部２１は、ＣＰＵ１１の制御に基づいて、発券処理等を実行し、例えば乗車券情報が印刷された券媒体２を発行する。乗車券情報は、利用可能な乗車区間などを示す。たとえば、乗車券情報は、発着駅、有効期間、及び、有効区間などを備える。有効区間は、たとえば、終着駅又は乗車料金などである。乗車券情報は、鉄道会社などを備えてもよい。乗車券情報は、特定の構成に限定されるものではない。また、発行部２１は、乗車券情報を二次元コード（コード）として券媒体２に印刷する。発行部２１については後述する。
【００２８】
排出部２２は、券媒体２を利用者へ提供する。即ち、排出部２２は、利用者が取得可能なように券媒体２を露出させる。たとえば、排出部２２は、外部に露出する受け皿、及び、発行部２１が発行する券媒体２を受け皿まで搬送する搬送部などを備えてもよい。
【００２９】
なお、発行機１は、上述した構成以外の構成要素を適宜追加しても良いし、特定の構成を除外してもよい。
【００３０】
次に、発行部２１の構成例について説明する。  
図３は、発行部２１の構成例を示す。  
図３が示すように、発行部２１は、収容部３１、カット部３２、ＲＦ−ＩＤリーダライタ３３、印刷部３４、及び搬送部３６などを備える。
【００３１】
収容部３１（供給部）は、券媒体２を構成する券紙３８を収容し、収容した券紙３８を供給する。収容部３１は、券紙３８をロール状に収容する。収容部３１は、ロール状の券紙３８を支える軸、及び券紙３８を送り出して供給する搬送ローラなどを備えてもよい。たとえば、収容部３１は、ＣＰＵ１１からの信号に基づいて軸又は搬送ローラなどを回転させ、券紙３８の先端を排出する。券紙３８は、所定の間隔でＲＦ−ＩＤインレットを備える。
【００３２】
カット部３２は、搬送部３６の搬送路上で、券紙３８から所定の長さの券媒体２を切り出す。カット部３２は、券媒体２の所定の位置にＲＦ−ＩＤインレットが配置されるように、券紙３８をカットする。たとえば、カット部３２は、券紙３８をカットする刃などを備える。カット部３２によってカットされた券紙３８は、券媒体２として搬送部３６によって搬送される。
【００３３】
ＲＦ−ＩＤリーダライタ３３（通信部）は、券媒体２のＲＦ−ＩＤインレットと通信するためのインターフェースである。ＲＦ−ＩＤリーダライタ３３は、ＲＦ−ＩＤインレットとの無線通信を行うためのアンテナおよび通信制御部などにより構成される。ＲＦ−ＩＤリーダライタ３３は、ＲＦ−ＩＤインレットに対する電源供給、クロック供給、リセット制御、データの送受信が行われるようになっている。
【００３４】
このような機能によってＲＦ−ＩＤリーダライタ３３は、ＣＰＵ１１による制御に基づいてＲＦ−ＩＤインレットに対する電源供給、ＲＦ−ＩＤインレットの活性化（起動）、クロック供給、リセット制御、種々のコマンドの送信、及び送信したコマンドに対する応答（レスポンス）の受信などを行なう。
【００３５】
印刷部３４は、ＣＰＵ１１からの信号に基づいて券媒体２に乗車券情報などを印刷する。たとえば、印刷部３４は、乗車券情報として、文字又は二次元コードなどを印刷する。印刷部３４は、券媒体２を加熱することで券媒体２に文字又は二次元コードする。
【００３６】
印刷部３４は、乗車券情報などを示す二次元コードを券媒体２の所定の領域に印刷する。また、印刷部３４は所定の領域に乗車券情報を示す文字又は数字などを印刷してもよい。印刷部３４は、券媒体２が搬送されたことを検知するセンサなどを備えてもよい。印刷部３４が印刷する内容及び位置は、特定の構成に限定されるものではない。
【００３７】
搬送部３６は、発行部２１内で券紙３８を搬送する。たとえば、搬送部３６は、券紙３８を収容部３１から、カット部３２、ＲＦ−ＩＤリーダライタ３３、印刷部３４及び排出部３５へ搬送する。なお、搬送部３６は、カット部３２まで券紙３８の先端を搬送してもよい。
【００３８】
搬送部３６は、たとえば、搬送ローラ、搬送ベルト、又は、ピックアップローラなどを備えてもよい。また、搬送部３６は、ステッピングモータなどを備え、ステップごとに券媒体２を搬送してもよい。
【００３９】
なお、印刷部３４は、ＲＦ−ＩＤリーダライタ３３よりも収容部３１側にあってもよい。また、発行部２１は、券紙３８又は券媒体２からバーマークを読み取るマーク検知部などを備えてもよい。また、発行部２１は、上述した構成以外の構成要素を適宜追加しても良いし、特定の構成を除外してもよい。
【００４０】
次に、処理機３の構成について説明する。  
図４は、実施形態に係る処理機３の構成例を示すブロック図である。  
図４が示すように、処理機３は、ＣＰＵ４１、ＲＯＭ４２、ＲＡＭ４３、ＮＶＭ４４、通信部４５、表示部４６、磁気券処理部４７、カードリーダライタ４８、コードリーダ４９、ＲＦ−ＩＤリーダライタ５０、及び、ドア機構５１などを備える。処理機３は、データバスなどを介してＣＰＵ４１と、ＲＯＭ４２、ＲＡＭ４３、ＮＶＭ４４、通信部４５、表示部４６、磁気券処理部４７、カードリーダライタ４８、コードリーダ４９、ＲＦ−ＩＤリーダライタ５０、及び、ドア機構５１とを通信可能に接続する。
【００４１】
ＣＰＵ４１は、処理機３全体の動作を制御する機能を有する。ＣＰＵ４１は、内部キャッシュおよび各種のインターフェースなどを備えても良い。ＣＰＵ４１は、内部メモリ、ＲＯＭ４２あるいはＮＶＭ４４に予め記憶したプログラムを実行することにより種々の処理を実現する。
【００４２】
なお、ＣＰＵ４１がプログラムを実行することにより実現する各種の機能のうちの一部は、ハードウエア回路により実現されるものであっても良い。この場合、ＣＰＵ４１は、ハードウエア回路により実行される機能を制御する。
【００４３】
ＲＯＭ４２は、予め制御用のプログラム及び制御データなどが記憶された不揮発性のメモリである。ＲＯＭ４２に記憶される制御プログラム及び制御データは、予め処理機３の仕様に応じて組み込まれる。ＲＯＭ４２は、たとえば、処理機３の回路基板を制御するプログラム（例えば、ＢＩＯＳ）などを格納している。
【００４４】
ＲＡＭ４３は、揮発性のメモリである。ＲＡＭ４３は、ＣＰＵ４１の処理中のデータなどを一時的に格納する。ＲＡＭ４３は、ＣＰＵ４１からの命令に基づき種々のアプリケーションプログラムを格納している。また、ＲＡＭ４３は、アプリケーションプログラムの実行に必要なデータ及びアプリケーションプログラムの実行結果などを格納してもよい。
【００４５】
ＮＶＭ４４は、データの書き込み及び書き換えが可能な不揮発性のメモリである。ＮＶＭ４４は、例えばＥＥＰＲＯＭ（Electric Erasable Programmable Read-Only Memory）、ＨＤＤ（Hard Disc Drive）、あるいはＳＳＤ（Solid State Drive）などである。ＮＶＭ４４は、処理機３の運用用途に応じて制御プログラム、アプリケーション、及び種々のデータを格納する。また、ＮＶＭ４４は、ＣＰＵ４１が種々の処理を実行することで生成したデータを保存する。
【００４６】
通信部４５は、上位装置としてのホストコンピュータなどとの通信を行うインターフェースである。
【００４７】
表示部４６は、ＣＰＵ４１からの信号に基づいて種々の情報を表示するものである。たとえば、表示部４６は、通行の可否、又は、読み取りエラーなどのエラーメッセージなどを表示してもよい。表示部４６は、たとえば、液晶ディスプレイなどである。
【００４８】
磁気券処理部４７は、磁気定期券に記録されている磁気情報を読み取り、又は、磁気定期券に磁気情報を書き込む。
【００４９】
カードリーダライタ４８は、ＩＣカードに記録されている情報を読み取り、又は、ＩＣカードに情報を書き込む。
【００５０】
コードリーダ４９（読取部）は、券媒体２などからコードを読み取る。たとえば、コードリーダ４９は、券媒体２などから二次元コードを読み取る。コードリーダ４９は、たとえば、光を券媒体２に照射してその反射光を取得することで、券媒体２から二次元コードを読み取る。コードリーダ４９は、可視光などの通常光を用いて二次元コードを読み取る。なお、コードリーダ４９は、不可視光を用いて二次元コードを読み取ってもよい。コードリーダ４９は、二次元コードを読み取るためのカメラを備える。
【００５１】
ＲＦ−ＩＤリーダライタ５０（通信部）は、券媒体２のＲＦ−ＩＤインレットと通信するためのインターフェースである。ＲＦ−ＩＤリーダライタ５０は、ＲＦ−ＩＤリーダライタ３３と同様の構成である。
【００５２】
ここでは、コードリーダ４９とＲＦ−ＩＤリーダライタ５０とは、一体的に形成される。また、利用者が処理機３の所定の領域に券媒体２を翳した場合に、コードリーダ４９は、二次元コードを読み取り、ＲＦ−ＩＤリーダライタ５０は、ＲＦ−ＩＤインレットと通信可能となる。
【００５３】
図５は、コードリーダ４９とＲＦ−ＩＤリーダライタ５０との構造例を示す。  
ここでは、処理機３は、筐体の一部に読取領域３ａを設けるものとする。読取領域３ａは、券媒体２が翳された場合に、コードリーダ４９が二次元コードを読み取り、ＲＦ−ＩＤリーダライタ５０がＲＦ−ＩＤインレットと通信可能となる領域である。
【００５４】
読取領域３ａには、ＲＦ−ＩＤリーダライタ５０のアンテナ５０ａが設けられる。アンテナ５０ａは、環状に形成される。アンテナ５０ａは、ＲＦ−ＩＤリーダライタ５０の通信制御部などに接続される。ＲＦ−ＩＤリーダライタ５０は、アンテナ５０ａを通じて読取領域３ａ上に翳される券媒体２の後述するＲＦ−ＩＤインレット６１と無線通信を行う。
【００５５】
また、読取領域３ａの下方には、コードリーダ４９のカメラ４９ａが設けられる。カメラ４９ａは、後述する印刷領域６５ａに印刷される二次元コードを読み取る。コードリーダ４９は、カメラ４９ａを用いて読取領域３ａ上に翳される券媒体２から二次元コードを読み取る。
【００５６】
読取領域３ａは、カメラ４９ａが二次元コードを読み取ることができるように透明に形成されてもよい。また、読取領域３ａは、カメラ４９ａが二次元コードを読み取るために利用する所定の周波数の光を透過する構造であってもよい。  
なお、処理機３は、券媒体２を内部に取り込む構成であってもよい。この場合、コードリーダ４９とＲＦ−ＩＤリーダライタ５０とは、処理機３の内部に配置される。また、コードリーダ４９とＲＦ−ＩＤリーダライタ５０とは、一体的に構成されなくともよい。
【００５７】
ドア機構５１は、処理機３を通過する人を制御するために設けられているドアである。ドア機構５１は、処理機３が形成する通路側に設けられる。ドア機構５１は、ＣＰＵ４１の制御に従って、通行不可と判定された利用者の通行を阻止する。  
なお、処理機３は、上述した構成以外の構成要素を適宜追加しても良いし、特定の構成を除外してもよい。
【００５８】
次に、券媒体２について説明する。券媒体２は、外部装置と通信する。  
図６は、券媒体２の構成例を示す。  
図６が示すように、券媒体２は、ＲＦ−ＩＤインレット６１、バーマーク６４、及び、印刷領域６５などを備える。
【００５９】
券媒体２は、ＲＦ−ＩＤインレット６１が所定の位置になるように形成される。図６が示す例においては、ＲＦ−ＩＤインレット６１は、券媒体２の右側に配置される。なお、ＲＦ−ＩＤインレット６１は、券媒体２の左側に配置されてもよいし、中央部に配置されてもよい。ＲＦ−ＩＤインレット６１が配置される位置は、特定の構成に限定されるものではない。
【００６０】
ＲＦ−ＩＤインレット６１は、券媒体２を構成する複数の層の間に埋め込まれる。また、ＲＦ−ＩＤインレット６１は、１枚の券媒体２に少なくとも１つ埋め込まれる。ＲＦ−ＩＤインレット６１は、外部装置から無線で入出場情報などを書き込まれ、又は、外部装置へ無線で入出場情報などを送信する。
【００６１】
ＲＦ−ＩＤインレット６１は、ＲＦ−ＩＤチップ６２及びアンテナ６３などを備える。
【００６２】
ＲＦ−ＩＤチップ６２は、ＲＦ−ＩＤインレット６１全体を制御する。ＲＦ−ＩＤチップ６２については後述する。
【００６３】
アンテナ６３は、外部装置と無線で通信するためのアンテナである。また、アンテナ６３は、外部装置から電力の供給を受けるためにも使用される。たとえば、アンテナ６３は、所定の領域に網目状に形成されてもよい。また、アンテナ６３は、所定の領域に環状に形成されてもよい。
【００６４】
ＲＦ−ＩＤインレット６１は、外部装置から非接触で電力などの供給を受けて活性化される（動作可能な状態になる）。ＲＦ−ＩＤインレット６１は、通信インターフェースとしてのアンテナ６３及び変復調回路などを介して外部装置からの電波を受信し、その電波から図示しない電源部により動作電源及び動作クロックを生成して活性化する。
【００６５】
ＲＦ−ＩＤインレット６１が活性化すると、ＲＦ−ＩＤチップ６２は、アンテナ６３を通じて外部装置とデータ通信することができる。たとえば、ＲＦ−ＩＤチップ６２は、アンテナ６３を通じて発行機１などが備えるＲＦ−ＩＤリーダライタ３３などからアクセスパスワードなどを受信し、所定の内部に格納する。また、ＲＦ−ＩＤチップ６２は、アンテナ６３を通じて処理機３などが備えるＲＦ−ＩＤリーダライタ５０などと入出場情報などを送受信する。  
バーマーク６４は、ＲＦ−ＩＤインレット６１の位置を示す。
【００６６】
印刷領域６５は、印刷部３４によって種々の情報が印刷される領域である。印刷領域６５は、印刷領域６５ａ、及び、印刷領域６５ｂなどから構成される。
【００６７】
印刷領域６５ａ（表示領域）は、乗車券情報及びアクセスパスワードなどを示す二次元コードが印刷される。即ち、印刷領域６５ａは、二次元コードを表示する。乗車券情報は、発券操作で入力された乗車券情報を示す。アクセスパスワードについては後述する。
【００６８】
印刷領域６５ｂは、乗車券情報を示す文字列などが印刷される領域である。印刷領域６５ｂは、印刷領域６５ａに印刷された二次元コードが示す乗車券情報又はその一部であってもよい。図６が示す例においては、印刷領域６５ｂは、鉄道会社名、発行駅名及び料金が印刷される。印刷領域６５ｂに印刷される内容は、特定の内容に限定されるものではない。
【００６９】
なお、印刷領域６５は、熱によって印刷されてもよいし、インクによって印刷されてもよい。また、印刷領域６５ａは、不可視光で読み取り可能なように二次元コードを印刷されてもよい。印刷領域６５ａは、一部を不可視光で読み取り可能なように二次元バーコードを印刷されてもよい。
【００７０】
次に、ＲＦ−ＩＤインレット６１の構成例について説明する。  
図７は、ＲＦ−ＩＤインレット６１の構成例を示すブロック図である。  
図７が示すように、ＲＦ−ＩＤインレット６１は、ＲＦ−ＩＤチップ６２及びアンテナ６３などを備える。アンテナ６３は、前述したとおりである。
【００７１】
ＲＦ−ＩＤチップ６２は、制御部７１、メモリ７２及び通信インターフェース７３などを備える。  
制御部７１は、ＲＦ−ＩＤインレット６１全体の動作を制御する機能を有する。制御部７１は、内部キャッシュおよび各種のインターフェースなどを備えても良い。たとえば、制御部７１は、内部メモリ、又は、メモリ７２に記憶したデータにより種々の処理を実現する。制御部７１は、ＣＰＵなどのプロセッサなどから構成されてもよい。また、制御部７１は、シーケンサなどのハードウエアから構成されてもよい。
【００７２】
メモリ７２は、データを書き込み可能な不揮発性のメモリである。メモリ７２は、制御部７１の動作に基づいて種々のデータを記憶する。また、メモリ７２は、ＲＦ−ＩＤインレット６１の運用用途に応じて予め制御用のデータなどを記憶してもよい。また、メモリ７２は、制御部７１の処理中のデータなどを一時的に格納してもよい。また、メモリ７２は、データを書き換え可能な不揮発性メモリであってもよい。
【００７３】
メモリ７２は、アクセスパスワードを記憶する記憶領域７２ａ（第１記憶部）及び外部装置から受信された所定のデータを格納する記憶領域７２ｂ（第２記憶部）などを備える。  
アクセスパスワードは、記憶領域７２ｂにデータを書き込み、又は、データを読み取るためのパスワードである。アクセスパスワードは、たとえば、所定の長さの文字、数字、記号、又は、それらの組み合わせから構成される。アクセスパスワードの長さ又は内容は、特定の構成に限定されるものではない。記憶領域７２ａは、発行機１によってアクセスパスワードを格納される。
【００７４】
記憶領域７２ｂは、外部装置から受信された所定の情報を格納する。たとえば、記憶領域７２ｂは、処理機３から受信された入出場情報を格納する。入出場情報は、券媒体２の所持者が入出場を示す。たとえば、入出場情報は、所持者が入場した駅及び時刻などの入場情報を備える。また、入出場情報は、所持者が出場した駅及び時刻などの出場情報などを備える。なお、記憶領域７２ｂが格納するデータは、特定の構成に限定されるものではない。
【００７５】
通信インターフェース７３（通信部）は、アンテナ６３を通じて外部装置と通信するためのインターフェースである。通信インターフェース７３は、外部装置から受信した電力を供給する電源部などを備えてもよい。
【００７６】
次に、ＲＦ−ＩＤチップ６２が実現する機能について説明する。  
ＲＦ−ＩＤチップ６２の制御部７１は、外部装置が送信するアクセスパスワードを記憶領域７２ａに記録する機能を有する（格納処理部）。即ち、ＲＦ−ＩＤチップ６２は、通信インターフェース７３を通じてアクセスパスワードを格納する格納コマンドを受信すると、当該格納コマンドに従ってアクセスパスワードを記憶領域７２ａに記録する。たとえば、制御部７１は、発行機１が送信するコマンドに従ってアクセスパスワードを記憶領域７２ａに記録する。
【００７７】
また、制御部７１は、外部装置が送信する認証コマンドなどが格納するアクセスパスワードと記憶領域７２ａが格納するアクセスパスワードが一致するか判定する機能を有する（判定部）。たとえば、制御部７１は、アクセスパスワードが一致すると、通信インターフェース７３を通じて認証に成功したことを示すレスポンスを返信してもよい。
【００７８】
また、制御部７１は、アクセスパスワードが一致すると外部装置が記憶領域７２ｂにアクセスすることを許可する機能を有する（認証処理部）。即ち、制御部７１は、外部装置が記憶領域７２ｂにデータを記録し、又は、記憶領域７２ｂからデータを取得することを許可する。たとえば、制御部７１は、通信インターフェース７３を通じて処理機３から入出場情報を格納するコマンドを受信すると、当該コマンドに従って入出場情報を記憶領域７２ｂに格納する。他方、制御部７１は、アクセスパスワードが一致しないと外部装置が記憶領域７２ｂにアクセスすることを禁止する。
【００７９】
次に、発行機１のＣＰＵ１１が実現する機能について説明する。  
ＣＰＵ１１は、乗車券情報を設定する機能を有する（設定部）。即ち、ＣＰＵ１１は、券媒体２を発行する際に、券媒体２に印刷する乗車券情報を設定する。たとえば、ＣＰＵ１１は、操作部１７を通じて利用客又は係員から乗車券情報を設定する入力を受け付ける。また、ＣＰＵ１１は、図示しないコードリーダなどを通じて乗車券情報を示す二次元コードなどを読み取ってもよい。
【００８０】
また、ＣＰＵ１１は、券媒体２のＲＦ−ＩＤインレット６１に格納するアクセスパスワードを取得する機能を有する（取得部）。たとえば、ＣＰＵ１１は、券媒体２を発行するごとに、所定の乱数発生方法などを用いてアクセスパスワードを生成する。また、ＣＰＵ１１は、予め決められたアクセスパスワードを取得してもよい。たとえば、ＮＶＮ１４（記憶部）が予めアクセスパスワードを格納し、ＣＰＵ１１は、ＮＶＮ１４からアクセスパスワードを読み出してもよい。
【００８１】
また、ＣＰＵ１１は、取得したアクセスパスワードを券媒体２のＲＦ−ＩＤインレット６１に格納する機能を有する（格納処理部）。即ち、ＣＰＵ１１は、アクセスパスワードをＲＦ−ＩＤチップ６２のメモリ７２の記憶領域７２ａに格納する。たとえば、ＣＰＵ１１は、ＲＦ−ＩＤリーダライタ３３を通じて、アクセスパスワードを記憶領域７２ａに格納する格納コマンドなどをＲＦ−ＩＤインレット６１に送信する。
【００８２】
また、ＣＰＵ１１は、印刷部３４を通じて、取得したアクセスパスワードと設定した乗車券情報とを示す二次元コードを券媒体２に印刷する機能を有する。即ち、ＣＰＵ１１は、アクセスパスワードと乗車券情報とを示す二次元バーコードを生成し、生成した二次元バーコードを券媒体２に印刷する。なお、ＣＰＵ１１は、アクセスパスワードを暗号化して、暗号化したアクセスパスワードと設定した乗車券情報とを示す二次元コードを生成してもよい。
【００８３】
次に、処理機３のＣＰＵ４１が実現する機能について説明する。  
ＣＰＵ４１は、コードリーダ４９を通じて券媒体２から二次元コードを読み取る機能を有する。即ち、ＣＰＵ４１は、券媒体２の二次元コードから乗車券情報及びアクセスパスワードを取得する。なお、アクセスパスワードが暗号化されている場合は、ＣＰＵ４１は、アクセスパスワードを復号化する。
【００８４】
また、ＣＰＵ４１は、二次元コードから読み取ったアクセスパスワードを用いて券媒体２のＲＦ−ＩＤインレット６１に対してアクセス可能であるかの認証処理を行う機能を有する（認証処理部）。たとえば、ＣＰＵ４１は、ＲＦ−ＩＤリーダライタ３３を通じて、読み取られたアクセスパスワードを含む認証コマンドをＲＦ−ＩＤインレット６１へ送信する。ＣＰＵ４１は、ＲＦ−ＩＤインレット６１から認証に成功したことを示すレスポンスを受信すると、認証に成功したものと判断する。
【００８５】
また、ＣＰＵ４１は、認証に成功した場合に、ＲＦ−ＩＤインレット６１に所定の情報（たとえば、入出場情報）を格納する機能を有する（格納処理部）。たとえば、ＣＰＵ４１は、ＲＦ−ＩＤリーダライタ５０を通じて、入出場情報を格納する格納コマンドをＲＦ−ＩＤインレット６１へ送信する。
【００８６】
たとえば、ＣＰＵ４１は、入場処理を行う場合、処理機３が設置されている駅及び現時刻などから入場情報を生成する。ＣＰＵ４１は、入出場情報として、生成した入出情報を格納する格納コマンドをＲＦ−ＩＤインレット６１へ送信する。また、ＣＰＵ４１は、出場処理を行う場合、処理機３が設置されている駅及び現時刻などから出場情報を生成する。ＣＰＵ４１は、入出場情報として、生成した出場情報を格納する格納コマンドをＲＦ−ＩＤインレット６１へ送信する。
【００８７】
また、ＣＰＵ４１は、認証に成功した場合に、ＲＦ−ＩＤインレット６１から所定の情報（たとえば、入出場情報）を読み出す機能を有する（読出部）。たとえば、ＣＰＵ４１は、ＲＦ−ＩＤリーダライタ５０を通じて、入出場情報を読み出す読出コマンドをＲＦ−ＩＤインレット６１へ送信する。ＣＰＵ４１は、当該読出コマンドのレスポンスとして入出場情報を取得する。
【００８８】
たとえば、ＣＰＵ４１は、出場処理を行う場合、ＲＦ−ＩＤインレット６１から入出場情報として入場情報を取得する。  
なお、ＣＰＵ４１は、取得した入場情報などに基づいて出場判定を行ってもよい。
【００８９】
次に、発行機１の動作例について説明する。  
図８は、発行機１の動作例について説明するためのフローチャートである。  
ここでは、発行機１の利用者は、所定の乗車券情報を印刷した券媒体２を発行する操作を発行機１に入力するものとする。
【００９０】
まず、発行機１のＣＰＵ１１は、操作部１７を通じて乗車券情報を設定する入力を受け付けたか判定する（Ｓ１１）。乗車券情報を設定する入力を受けつていないと判定すると（Ｓ１１、ＮＯ）、ＣＰＵ１１は、Ｓ１１に戻る。乗車券情報を設定する入力を受け付けたと判定すると（Ｓ１１、ＹＥＳ）、ＣＰＵ１１は、金額処理部２０又はカードリーダライタ１９を通じて料金を決済したか判定する（Ｓ１２）。料金を決済していないと判定すると（Ｓ１２、ＮＯ）、ＣＰＵ１１は、Ｓ１２に戻る。
【００９１】
料金を決済したと判定すると（Ｓ１２、ＹＥＳ）、ＣＰＵ１１は、アクセスパスワードを取得する（Ｓ１３）。アクセスパスワードを取得すると、ＣＰＵ１１は、ＲＦ−ＩＤリーダライタ３３を通じてアクセスパスワードを券媒体２のＲＦ−ＩＤインレット６１の記憶領域５２ａに格納する（Ｓ１４）。
【００９２】
アクセスパスワードを格納すると、ＣＰＵ１１は、印刷部３４を用いて、取得したアクセスパスワードと設定した乗車券情報とを示す二次元コードを生成する（Ｓ１５）。二次元コードを生成すると、ＣＰＵ１１は、生成した二次元コードを券媒体２に印刷する（Ｓ１６）。なお、ＣＰＵ１１は、アクセスパスワードを暗号化してもよい。
【００９３】
二次元バーコードを券媒体２に印刷すると、ＣＰＵ１１は、券媒体２を排出部２２へ排出する（Ｓ１７）。券媒体２を排出すると、ＣＰＵ１１は、動作を終了する。  
なお、ＣＰＵ１１は、二次元コードを印刷してから（Ｓ１６）、アクセスパスワードをＲＦ−ＩＤインレット６１に格納してもよい（Ｓ１５）。
【００９４】
次に、処理機３の動作例について説明する。  
図９は、処理機３の動作例について説明するためのフローチャートである。  
ここでは、利用者は、処理機３の読取領域３ａに券媒体２を翳すものとする。  
まず、処理機３のＣＰＵ４１は、コードリーダ４９又はＲＦ−ＩＤリーダライタ５０を通じて読取領域３ａに券媒体２が翳されたか判定する（Ｓ２１）。たとえば、ＣＰＵ４１は、ＲＦ−ＩＤリーダライタ５０が送信するポーリング信号などにレスポンスがあったか判定する。券媒体２が翳されていないと判定すると（Ｓ２１、ＮＯ）、ＣＰＵ４１は、Ｓ２１に戻る。
【００９５】
券媒体２が翳されたと判定すると（Ｓ２１、ＹＥＳ）、ＣＰＵ４１は、コードリーダ４９を通じて券媒体２から二次元コードを読み取る（Ｓ２２）。二次元コードを読み取ると、ＣＰＵ４１は、二次元コードをデコードして、アクセスパスワードと乗車券情報とを取得する（Ｓ２３）。アクセスパスワードが暗号化されている場合、ＣＰＵ４１は、アクセスパスワードを復号化する。
【００９６】
アクセスパスワードと乗車券情報とを取得すると、ＣＰＵ４１は、ＲＦ−ＩＤリーダライタ５０を通じてアクセスパスワードを券媒体２のＲＦ−ＩＤインレット６１に送信する（Ｓ２４）（認証処理）。アクセスパスワードを送信すると、ＣＰＵ４１は、アクセスパスワードによって記憶領域５２ｂにアクセス可能であるか判定する（Ｓ２５）。たとえば、ＣＰＵ４１は、ＲＦ−ＩＤインレット６１からアクセスパスワードの認証に成功したことを示すレスポンスを受信したか判定する。
【００９７】
アクセスパスワードによって記憶領域５２ｂにアクセス可能であると判定すると（Ｓ２５、ＹＥＳ）、ＣＰＵ４１は、券媒体２を用いて利用者が駅構内に入場するか判定する（Ｓ２６）。利用者が入場すると判定すると（Ｓ２６、ＹＥＳ）、ＣＰＵ４１は、乗車券情報などに基づいて入場可能（通行可能）であるか判定する（Ｓ２７）（判定部）。
【００９８】
入場可能であるか判定すると、ＣＰＵ４１は、ＲＦ−ＩＤリーダライタ５０を通じて記憶領域５２ｂに入出場情報として入場情報を書き込む（Ｓ２８）。入場情報を書き込むと、ＣＰＵ４１は、Ｓ２７の判定結果に基づいてドア機構を制御する（Ｓ２９）。たとえば、ＣＰＵ４１は、入場可能であると判定した場合、ドア機構を解放する。また、ＣＰＵ４１は、入場可能でないと判定した場合、ドア機構を閉じる。
【００９９】
利用者が入場しない（出場する）と判定すると（Ｓ２６、ＮＯ）、ＣＰＵ４１は、ＲＦ−ＩＤリーダライタ５０を通じて記憶領域５２ｂから入場情報を取得する（Ｓ３０）。入場情報を取得すると、ＣＰＵ４１は、乗車券情報及び入場情報などに基づいて出場可能（通行可能）であるか判定する（Ｓ３１）（判定部）。
【０１００】
出場可能であるか判定すると、ＣＰＵ４１は、ＲＦ−ＩＤリーダライタ５０を通じて記憶領域５２ｂに入出場情報として出場情報を書き込む（Ｓ３２）。出場情報を書き込むと、ＣＰＵ４１は、Ｓ３１の判定結果に基づいてドア機構を制御する（Ｓ３３）。
【０１０１】
アクセスパスワードによって記憶領域５２ｂにアクセス可能でないと判定すると（Ｓ２５、ＮＯ）、ＣＰＵ４１は、表示部１６にエラーが発生した旨を表示する（Ｓ３４）。ＣＰＵ４１は、たとえば、二次元コードが示すアクセスパスワードとＲＦ−ＩＤインレット６１のアクセスパスワードとが一致しないことを示すエラーメッセージを表示してもよい。
【０１０２】
Ｓ２７の判定結果に基づいてドア機構を制御した場合（Ｓ２９）、Ｓ３１の判定結果に基づいてドア機構を制御した場合（Ｓ３３）、又は、エラーが発生した旨を表示した場合（Ｓ３４）、ＣＰＵ４１は、動作を終了する。
【０１０３】
なお、ＣＰＵ４１は、Ｓ２７で入場可能でないと判定した場合、入場情報をＲＦ−ＩＤインレット６１に書き込まなくてもよい。また、ＣＰＵ４１は、Ｓ３１で出場可能でないと判定した場合、出場情報をＲＦ−ＩＤインレット６１に書き込まなくてもよい。
【０１０４】
以上のように構成された処理システムは、ＲＦ−ＩＤインレットのアクセスパスワードを示す二次元コードを印刷した券媒体を発行することができる。また、処理システムは、券媒体の二次元コードからアクセスパスワードを取得して、取得したアクセスパスワードを用いてＲＦ−ＩＤインレットにアクセスすることができる。そのため、処理システムは、ＲＦ−ＩＤインレットのアクセスと、二次元コードの情報とを関連付けることができる。従って、処理システムは、より安全に券媒体を処理することができる
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０５】
１…発行機、２…券媒体、３…処理機、１１…ＣＰＵ、１６…表示部、１７…操作部、２０…金額処理部、２１…発行部、３１…収容部、３２…カット部、３３…ＲＦ−ＩＤリーダライタ、３４…印刷部、３６…搬送部、３８…券紙、４１…ＣＰＵ、４６…表示部、４９…コードリーダ、４９ａ…カメラ、５０…ＲＦ−ＩＤリーダライタ、５０ａ…アンテナ、５１…ドア機構、６１…ＲＦ−ＩＤインレット、６２…ＲＦ−ＩＤチップ、６３…アンテナ、６５（６５ａ及び６５ｂ）…印刷領域、７１…制御部、７２…メモリ、７２ａ及び７２ｂ…記憶領域、７３…通信インターフェース、１００…処理システム。
【図１】
2016170510.tif 000003
【図２】
2016170510.tif 000004
【図３】
2016170510.tif 000005
【図４】
2016170510.tif 000006
【図５】
2016170510.tif 000007
【図６】
2016170510.tif 000008
【図７】
2016170510.tif 000009
【図８】
2016170510.tif 000010
【図９】
2016170510.tif 000011